(57)【特許請求の範囲】
【請求項１】
ホルダに保持された光コネクタの端面に照明光を照射し、その反射光を撮像手段の受光部に入射させて前記光コネクタ端面の画像データを取得するとともに、その画像データに基づいて光コネクタ端面を検査する光コネクタ端面検査装置において、
所定位置に固定して設置された前記撮像手段と、
それぞれ所定位置に固定して設置された複数個の前記ホルダと、
前記各ホルダに保持された光コネクタ端面からの反射光を前記撮像手段の受光部に選択的に導いて、前記撮像手段の受光部に入射される反射光を切り替える切替手段と、
を備えたことを特徴とする光コネクタ端面検査装置。
【請求項２】
前記各ホルダは、前記撮像手段の受光部までの光路長が等しくなるように設置されていることを特徴とする請求項１に記載の光コネクタ端面検査装置。
【発明の詳細な説明】
【０００１】
【発明の属する技術分野】
本発明は光コネクタの端面検査装置に係り、特に光コネクタの端面を撮像手段で撮像し、その画像データに基づいて光コネクタ端面の傷検査を行う光コネクタ端面検査装置に関する。
【０００２】
【従来の技術】
一般に光ファイバ同士を接続する場合は、光ファイバの端部に光コネクタを取り付け、この光コネクタの端面同士を物理的に接触させることにより行われる。
【０００３】
図４は、光コネクタＷの構成を示す断面図であり、同図に示すように、光コネクタＷは、円筒状に形成されたフェルール１の内周部に光ファイバ２を挿通して構成されている（符号３はナイロンジャケット）。
【０００４】
ところで、このように構成される光コネクタは、その端面に傷があると光ファイバの性能に悪影響を及ぼすおそれがある。このため、光コネクタは製造後に端面検査装置によって端面の傷検査が行われる。この端面検査装置は、光コネクタの端面をＣＣＤカメラで撮像し、その画像データを画像処理することにより傷検査を行うようにしている。あるいは、ＣＣＤカメラで撮像した画像をモニタ上に表示し、そのモニタ像をオペレータが確認することにより傷検査を行うようにしている。この際、光コネクタは端面検査装置に備えられたホルダにセットすることにより、その端面の像をＣＣＤカメラに撮像される。
【０００５】
【発明が解決しようとする課題】
しかしながら、従来の端面検査装置は、ホルダとＣＣＤカメラとが１組で構成されているため、複数の光コネクタを検査する場合には、その都度、光コネクタを交換しなければならなかった。このため、検査に多大な時間を要していた。
【０００６】
また、検査時間を短縮するために、複数の端面検査装置を用いることとすると、装置の設置スペースが必要になるとともに、設備コストがかかるという問題があった。
【０００７】
本発明は、このような問題に鑑みてなされたもので、簡単な構成で複数の光コネクタの検査を行うことができる光コネクタ端面検査装置を提供することを目的とする。
【０００８】
【課題を解決するための手段】
本発明は、前記目的を達成するために、ホルダに保持された光コネクタの端面に照明光を照射し、その反射光を撮像手段の受光部に入射させて前記光コネクタ端面の画像データを取得するとともに、その画像データに基づいて光コネクタ端面を検査する光コネクタ端面検査装置において、所定位置に固定して設置された前記撮像手段と、それぞれ所定位置に固定して設置された複数個の前記ホルダと、前記各ホルダに保持された光コネクタ端面からの反射光を前記撮像手段の受光部に選択的に導いて、前記撮像手段の受光部に入射される反射光を切り替える切替手段と、を備えたことを特徴とする光コネクタ端面検査装置を提供する。
【０００９】
本発明によれば、複数のホルダに保持された光コネクタの端面からの反射光を切替手段で切り替えて撮像手段の受光部に入射させる。これにより、１つの撮像手段で複数の光コネクタの端面検査を１度に実施することができる。
【００１０】
【発明の実施の形態】
以下、添付図面に従って本発明に係る光コネクタ端面検査装置の好ましい実施の形態について詳説する。
【００１１】
図１は、本発明に係る光コネクタ端面検査装置の全体構成を示すブロック図である。同図に示すように、本実施の形態の光コネクタ端面検査装置１０は、光コネクタの端面を撮像する撮像装置１２と、その撮像装置１２で撮像された画像データを画像処理して傷解析を行うパーソナルコンピュータ１４とで構成されている。
【００１２】
撮像装置１２は、図１に示すように、１つのＣＣＤカメラを用いて２つの光コネクタを１度に撮像できるように構成されており、２つのホルダ（第１ホルダ１６ａ、第２ホルダ１６ｂ）と、２つのレンズユニット（第１レンズユニット１８ａ、第２レンズユニット１８ｂ）と、２つの照明ユニット（第１照明ユニット２０ａ、第２照明ユニット２０ｂ）と、１つのＣＣＤカメラ２２と、１つの光路切替ユニット２４とで構成されている。
【００１３】
第１ホルダ１６ａと第２ホルダ１６ｂは、検査対象の光コネクタＷを所定の検査位置に保持する部材であり、それぞれ外装ケース２６の正面に所定の間隔をもって取り付けられている。この第１ホルダ１６ａと第２ホルダ１６ｂは、それぞれ円筒状に形成されており、その内周部に形成された円筒状のファイバーガイド２８ａ、２８ｂに光コネクタＷ、Ｗを挿入することで、光コネクタＷ、Ｗを所定の検査位置に保持する。
【００１４】
第１レンズユニット１８ａと第２レンズユニット１８ｂは、それぞれホルダ１６ａ、１６ｂに保持された光コネクタＷの端面の像を拡大してＣＣＤカメラ２２の受光部に結像させる。この第１レンズユニット１８ａと第２レンズユニット１８ｂは、それぞれレンズ装置３０ａ、３０ｂと、そのレンズ装置３０ａ、３０ｂをオートフォーカス駆動（ＡＦ駆動）するＡＦ駆動装置３２ａ、３２ｂとで構成されている。
【００１５】
レンズ装置３０ａ、３０ｂは、鏡筒内に複数のレンズ群が配置されて構成されており、ホルダ１６ａ、１６ｂに保持された光コネクタＷ、Ｗの端面に対向して設置されている。ＡＦ駆動装置３２ａ、３２ｂは、図示しない測距センサの測距情報に基づき、このレンズ装置３０ａ、３０ｂをＡＦ駆動する。すなわち、レンズ装置３０ａ、３０ｂのピント位置をホルダ１６ａ、１６ｂに保持された光コネクタＷ、Ｗの端面に合わせる。
【００１６】
第１照明ユニット２０ａと第２照明ユニット２０ｂは、それぞれ第１ホルダ１６ａと第２ホルダ１６ｂに保持された光コネクタＷ、Ｗの端面に照明光を照射する。この第１照明ユニット２０ａと第２照明ユニット２０ｂは、それぞれ照明ランプ３４ａ、３４ｂとハーフミラー３６ａ、３６ｂとで構成されている。ハーフミラー３６ａ、３６ｂは、レンズ装置３０ａ、３０ｂの後段に設置されており、それぞれレンズ装置３０ａ、３０ｂの光軸Ｌa 、Ｌb に対して４５度の傾斜角をもって設置されている。照明ランプ３４ａ、３４ｂから出射した照明光は、このハーフミラー３６ａ、３６ｂによってレンズ装置３０ａ、３０ｂに導かれ、そのレンズ装置３０ａ、３０ｂを通って光コネクタＷの端面に照射される。
【００１７】
ＣＣＤカメラ２２は、その受光部に結像された光コネクタＷの端面の像を撮像し、その画像データをパーソナルコンピュータ１４に出力する。このＣＣＤカメラ２２は、レンズ装置３０ａの光軸Ｌa 上に配置されており、第１照明ユニット２０ａを構成するハーフミラー３６ａの後段に配置されている。
【００１８】
光路切替ユニット２４は、ＣＣＤカメラ２２の受光部に入射される反射光を選択的に切り替える。この光路切替ユニット２４は、固定ミラー３８と昇降ミラー４０とで構成されている。
【００１９】
固定ミラー３８は、ハーフミラー３６ｂの後段に設置されており、レンズ装置３０ｂの光軸Ｌb に対して４５度の傾斜角をもって設置されている。第２ホルダ１６ｂに保持された光コネクタＷの端面からの反射光は、この固定ミラー３８によって光軸Ｌb に対して直角に曲げられ、昇降ミラー４０の方向に導かれる。
【００２０】
昇降ミラー４０は、ハーフミラー３６ａの後段に配置されており、レンズ装置３０ａの光軸Ｌa に対して４５度の傾斜角をもって設置されている。この昇降ミラー４０は、図２に示すように、昇降テーブル４２上に設置されており、昇降テーブル４２に接続されたシリンダ４４を駆動することにより、垂直に上下動する。そして、図２（ａ）に示す「待機位置」と、図２（ｂ）に示す「反射位置」との間を移動する。
【００２１】
ここで、昇降ミラー４０が「待機位置」に位置すると、第１ホルダ１６ａに保持された光コネクタ端面からの反射光が、そのまま昇降ミラー４０の上方を通過して、ＣＣＤカメラ２２の受光部に入射する。
【００２２】
一方、昇降ミラー４０が「反射位置」に位置すると、第２ホルダ１６ｂに保持された光コネクタ端面からの反射光が、固定ミラー３８で直角に曲げられたのち、この昇降ミラー４０によって直角に曲げられてＣＣＤカメラ２２の受光部に入射される。
【００２３】
すなわち、この昇降ミラー４０を「待機位置」に位置させれば、第１ホルダ１６ａに保持された光コネクタＷの端面の像がＣＣＤカメラ２２に撮像され、「反射位置」に位置させれば、第２ホルダ１６ｂに保持された光コネクタＷの端面の像がＣＣＤカメラ２２に撮像される。これにより、１つのＣＣＤカメラで２つのホルダに保持された光コネクタの端面を１度に撮像することができる。
【００２４】
この際、第１ホルダ１６ａに保持された光コネクタＷの端面と第２ホルダ１６ｂに保持された光コネクタＷの端面とが同じ大きさをもってＣＣＤカメラ２２に撮像されるようにするために、第１ホルダ１６ａと第２ホルダ１６ｂは階段状に設置され、ＣＣＤカメラ２２の受光部までの光路長が互いに等しくなるように設置されている。
【００２５】
具体的には、固定ミラー３８から昇降ミラー４０までの光路長分だけ、第２ホルダ１６ｂが第１ホルダ１６ａから退避して設置されている。これにより、第１ホルダ１６ａに保持された光コネクタＷの端面からＣＣＤカメラ２２の受光部までの光路長と、第２ホルダ１６ｂに保持された光コネクタＷの端面からＣＣＤカメラ２２の受光部までの光路長とが等しくなり、第１ホルダ１６ａに保持された光コネクタＷの端面と第２ホルダ１６ｂに保持された光コネクタＷの端面とが同じ大きさをもってＣＣＤカメラ２２に撮像される。
【００２６】
パーソナルコンピュータ１４は、ＣＣＤカメラ２２で撮像された光コネクタＷの端面の画像データを取り込み、その画像データを画像処理することにより傷解析を行う。すなわち、端面の画像データを画像処理することにより、端面に生じた傷の有無を検査し、傷がある場合は、その傷の位置、大きさ、深さを求めて、製品としての合否判定を行う。この解析結果は、内蔵するメモリに記憶されると同時にＣＣＤカメラ２２による撮像画像と共にモニタ４６上に表示される。オペレータは、このモニタ４６上の表示に基づいて光コネクタＷを分別回収する。
【００２７】
なお、このパーソナルコンピュータ１４には、あらかじめ所定の検査プログラムがインストールされており、パーソナルコンピュータ１４は、この検査プログラムに従って撮像装置１２をコントロールし、光コネクタＷの端面の撮像を行う。そして、この検査プログラムに従って取り込んだ画像データを画像処理し、傷解析を行う。
【００２８】
また、このパーソナルコンピュータ１４には、周辺機器としてキーボード４８、マウス５０、プリンタ５２等が接続されており、オペレータは、これらの機器を利用して所要の操作を行う。
【００２９】
以上のように構成された本実施の形態の光コネクタ端面検査装置１０の作用は次のとおりである。
【００３０】
まず、オペレータが第１ホルダ１６ａと第２ホルダ１６ｂに検査対象の光コネクタＷ、Ｗをセットする。この操作は各ホルダに形成されたファイバーガイド２８ａ、２８ｂに光コネクタＷ、Ｗを挿入することにより行われる。これにより、光コネクタＷ、Ｗが所定の検査位置にセットされる。
【００３１】
検査対象の光コネクタＷ、Ｗがセットされると、オペレータはパーソナルコンピュータ１４に検査開始を指示する。以後、所定の検査プログラムに従って検査が開始される。なお、このとき、光路切替ユニット２４の昇降ミラー４０は「待機位置」に位置している。
【００３２】
まず、第１照明ユニット２０ａの照明ランプ３４ａが点灯され、第１ホルダ１６ａに保持された光コネクタＷの端面に向けて照明光が照射される。光コネクタＷの端面に照明光が照射されると、光コネクタＷの端面で反射した反射光がレンズ装置３０ａ、ハーフミラー３６ａを通ってＣＣＤカメラ２２の受光部に入射される。この際、光コネクタ端面からの反射光は、昇降ミラー４０の上方を通過してＣＣＤカメラ２２の受光部に入射される。
【００３３】
次に、第１レンズユニット１８ａのレンズ装置３０ａが、ＡＦ駆動装置３２ａによってＡＦ駆動され、そのピント位置が第１ホルダ１６ａに保持された光コネクタＷの端面に合わせられる。
【００３４】
次に、第１ホルダ１６ａに保持された光コネクタＷの端面をＣＣＤカメラ２２が撮像し、その画像データをパーソナルコンピュータ１４に出力する。パーソナルコンピュータ１４は、取り込んだ画像データを画像処理して、傷解析を行う。すなわち、端面の画像データを画像処理することにより、端面に生じた傷の有無を検査し、傷がある場合は、その傷の位置、大きさ、深さを求めて、製品としての合否判定を行う。この解析結果は、パーソナルコンピュータ１４に内蔵されたメモリに記憶されると同時にＣＣＤカメラ２２による撮像画像と共にモニタ４６上に出力される。
【００３５】
以上により第１ホルダ１６ａに保持された光コネクタＷの端面傷検査が終了する。そして、この第１ホルダ１６ａに保持された光コネクタＷの端面傷検査が終了すると、第１照明ユニット２０ａの照明ランプ３４ａが消灯される。
【００３６】
次に、第２ホルダ１６ｂに保持された光コネクタＷの端面傷検査が行われる。
【００３７】
まず、光路切替ユニット２４のシリンダ４４が駆動され、昇降ミラー４０が、図２（ａ）に示す「待機位置」から図２（ｂ）に示す「反射位置」に移動する。
【００３８】
次に、第２照明ユニット２０ｂの照明ランプ３４ｂが点灯され、第２ホルダ１６ｂに保持された光コネクタＷの端面に向けて照明光が照射される。光コネクタＷの端面に照明光が照射されると、光コネクタＷの端面で反射した反射光が、レンズ装置３０ｂ、ハーフミラー３６ｂを通って固定ミラー３８に入射される。そして、その固定ミラー３８によって昇降ミラー４０に向けて反射された後、昇降ミラー４０でＣＣＤカメラ２２に向けて反射され、ＣＣＤカメラ２２の受光部に入射される。
【００３９】
次に、第２レンズユニット１８ｂのレンズ装置３０ｂが、ＡＦ駆動装置３２ｂによってＡＦ駆動され、そのピント位置が第２ホルダ１６ｂに保持された光コネクタＷの端面に合わせられる。
【００４０】
次に、第２ホルダ１６ｂに保持された光コネクタＷの端面をＣＣＤカメラ２２が撮像し、その画像データをパーソナルコンピュータ１４に出力する。パーソナルコンピュータ１４は、取り込んだ画像データを画像処理して、傷解析を行う。この解析結果は、パーソナルコンピュータ１４に内蔵されたメモリに記憶されると同時にＣＣＤカメラ２２による撮像画像と共にモニタ４６上に出力される。
【００４１】
以上により第２ホルダ１６ｂに保持された光コネクタＷの端面傷検査が終了する。そして、この第２ホルダ１６ｂに保持された光コネクタＷの端面傷検査が終了すると、第２照明ユニット２０ｂの照明ランプ３４ａが消灯される。また、光路切替ユニット２４のシリンダ４４が駆動され、昇降ミラー４０が、図２（ｂ）に示す「反射位置」から図２（ａ）に示す「待機位置」に移動する。
【００４２】
以上により検査は終了し、オペレータは、モニタ４６に表示された検査結果を確認しながら、第１ホルダ１６ａ及び第２ホルダ１６ｂから光コネクタＷ、Ｗを取り外し、検査結果に応じて光コネクタを分別回収する。
【００４３】
以上一連の工程で１組目の光コネクタＷ、Ｗの検査が終了し、以下同様の手順で順次検査を行ってゆく。
【００４４】
このように、本実施の形態の光コネクタ端面検査装置１０によれば、１台のＣＣＤカメラ２２を用いて１度に２つの光コネクタＷ、Ｗの撮像を行うことができるので、効率よく光コネクタの端面傷検査を行うことができる。また、装置構成もシンプルになり、製作コストも低減させることができる。
【００４５】
また、本実施の形態の光コネクタ端面検査装置１０では、ＣＣＤカメラ２２の受光部までの光路長が等しくなるように各ホルダ１６ａ、１６ｂを設置しているので、いずれのホルダ１６ａ、１６ｂに光コネクタＷ、Ｗをセットした場合であっても、光コネクタＷの端面は、常に同じ大きさで撮像することができる。
【００４６】
図３は、本発明に係る光コネクタ端面検査装置の第２の実施の形態の全体構成を示すブロック図である。同図に示すように、光路切替ユニットの構成が上述した第１の実施の形態の光コネクタ端面検査装置１０と相違している。したがって、以下の説明では、この光路切替ユニット６２の構成についてのみ説明する。
【００４７】
第２の実施の形態の光路切替ユニット６２は、固定ミラー６４と移動ミラー６６とで構成されている。
【００４８】
固定ミラー６４は、ハーフミラー３６ｂの後段に設置されており、レンズ装置３０ｂの光軸Ｌb に対して４５度の傾斜角をもって設置されている。第２ホルダ１６ｂに保持された光コネクタＷの端面からの反射光は、この固定ミラー６４によって光軸Ｌb に対して直角に曲げられ、移動ミラー６６の方向に導かれる。
【００４９】
一方、移動ミラー６６は、ハーフミラー３６ａの後段に配置されており、レンズ装置３０ａの光軸Ｌa に対して４５度の傾斜角をもって設置されている。この移動ミラー６６は、移動テーブル６６上に設置されており、図示しない移動手段に駆動されることにより、光軸ＬC （固定ミラー６４で反射された反射光の光軸）に沿って水平に前後移動する。そして、図３に二点破線で示す「待機位置」と実線で示す「反射位置」との間を移動する。
【００５０】
以上のように構成された光路切替ユニット６２は、移動ミラー６６が「待機位置」に位置すると、第１ホルダ１６ａに保持された光コネクタ端面からの反射光が、そのままＣＣＤカメラ２２の受光部に入射する。一方、移動ミラー６６が「反射位置」に位置すると、第２ホルダ１６ｂに保持された光コネクタ端面からの反射光が、固定ミラー６４で直角に反射されたのち、この移動ミラー６６によって直角に反射されてＣＣＤカメラ２２の受光部に入射される。
【００５１】
このように、移動ミラー６６を前後移動させる構成によっても、選択的にＣＣＤカメラ２２の受光部に入射させる反射光を切り替えることができる。これにより、上述した第１の実施の形態の光コネクタ端面検査装置１０と同様に１台のＣＣＤカメラ２２で１度に２つの光コネクタＷ、Ｗの端面を撮像することができる。
【００５２】
図４は、本発明に係る光コネクタ端面検査装置の第３の実施の形態の全体構成を示すブロック図である。同図に示すように、光路切替ユニットの構成が上述した第１の実施の形態の光コネクタ端面検査装置１０と相違している。したがって、以下の説明では、この光路切替ユニット７２の構成についてのみ説明する。
【００５３】
第３の実施の形態の光路切替ユニット７２は、固定ミラー７４と揺動ミラー７６とで構成されている。
【００５４】
固定ミラー７４は、ハーフミラー３６ｂの後段に設置されており、レンズ装置３０ｂの光軸Ｌb に対して４５度の傾斜角をもって設置されている。ホルダ１６ｂに保持された光コネクタＷの端面からの反射光は、この固定ミラー６４によって光軸Ｌb に対して直角に曲げられ、揺動ミラー７６の方向に導かれる。
【００５５】
一方、揺動ミラー７６は、揺動軸７７を中心に揺動自在に設けられた揺動板７８に取り付けられており、図示しない揺動手段に駆動されることにより、図４に二点破線で示す「待機位置」と実線で示す「反射位置」との間を揺動移動する。この揺動ミラー７６は、「反射位置」に位置すると、レンズ装置３０ａの光軸Ｌa 上に４５度の傾斜角をもって配置され、「待機位置」に位置すると、レンズ装置３０ａの光軸Ｌa 上から退避する。
【００５６】
以上のように構成された光路切替ユニット７２は、揺動ミラー７６が「待機位置」に位置すると、第１ホルダ１６ａに保持された光コネクタ端面からの反射光が、そのままＣＣＤカメラ２２の受光部に入射する。一方、揺動ミラー７６が「反射位置」に位置すると、固定ミラー７４で反射された第２ホルダ１６ｂに保持された光コネクタ端面からの反射光が、揺動ミラー７６によって直角に反射され、ＣＣＤカメラ２２の受光部に入射される。
【００５７】
このように、揺動ミラー７６を揺動させる構成によっても、選択的にＣＣＤカメラ２２の受光部に入射させる反射光を切り替えることができる。これにより、上述した第１の実施の形態の光コネクタ端面検査装置１０と同様に１台のＣＣＤカメラ２２で１度に２つの光コネクタＷ、Ｗの端面を撮像することができる。
【００５８】
図５は、本発明に係る光コネクタ端面検査装置の第４の実施の形態の全体構成を示すブロック図である。同図に示すように、本実施の形態の光コネクタ端面検査装置８０は、１台のＣＣＤカメラ２２で１度に４つの光コネクタの端面を撮像できるように構成されている。なお、撮像装置以外の構成は上述した第１の実施の形態の光コネクタ端面検査装置１０の構成と同じなので、以下の説明では、この撮像装置の構成についてのみ説明する。
【００５９】
図５に示すように、撮像装置８２は、１つのＣＣＤカメラを用いて２つの光コネクタを１度に撮像できるように構成されており、４つのホルダ（第１ホルダ８６ａ〜第４ホルダ８６ｄ）と、４つのＡＦレンズユニット（第１レンズユニット８８ａ、第４レンズユニット８８ｄ）と、４つの照明ユニット（第１照明ユニット９０ａ、第４照明ユニット９０ｄ）と、１つのＣＣＤカメラ９２と、１つの光路切替ユニット９４とで構成されている。
【００６０】
第１ホルダ８６ａ〜第４ホルダ８６ｄは、上述した第１の実施の形態のホルダ１６ａ、１６ｂと同じ構成であり、それぞれ外装ケース９６の正面に所定の間隔をもって取り付けられている。検査対象の光コネクタＷは、この第１ホルダ８６ａ〜第４ホルダ８６ｄにセットすることで、所定の検査位置に位置決めされる。
【００６１】
第１レンズユニット８８ａ〜第４レンズユニット８８ｄも上述した第１の実施の形態のレンズユニット１８ａ、１８ｂと同じ構成であり、それぞれレンズ装置１００ａ〜１００ｄとＡＦ駆動装置１０２ａ〜１０２ｄとで構成されている。ホルダ８６ａ〜８６ｄに保持された光コネクタＷは、この第１レンズユニット８８ａ〜第４レンズユニット８８ｄによってその端面の像がＣＣＤカメラ９２の受光部に結像される。
【００６２】
第１照明ユニット９０ａ〜第４照明ユニット９０ｄも上述した第１の実施の形態の照明ユニット９０ａ、９０ｄと同じ構成であり、それぞれ照明ランプ１０４ａ〜１０４ｄとハーフミラー１０６ａ〜１０６ｄとで構成されている。ホルダ８６ａ〜８６ｄに保持された光コネクタＷは、この第１照明ユニット９０ａ〜第４照明ユニット９０ｄによって、その端面に照明光が照射される。
【００６３】
ＣＣＤカメラ９２は、その受光部に結像された光コネクタＷの端面の像を撮像し、その画像データをパーソナルコンピュータ１４に出力する。
【００６４】
光路切替ユニット９４は、ＣＣＤカメラ９２の受光部に入射される反射光を選択的に切り替える。この光路切替ユニット２４は、２つの固定ミラー１０８ａ、１０８ｄと２つの昇降ミラー１１０ｂ、１１０ｃと１つの回転ミラー１１２とで構成されており、各ミラーは同一直線上に配置されている。
【００６５】
２つの固定ミラー１０８ａ、１０８ｂのうち一方の固定ミラー１０８ａは、第１照明ユニット９０ａを構成するハーフミラー１０６ａの後段に設置されており、第１レンズユニット８８ａを構成するレンズ装置１００ａの光軸Ｌa に対して４５度の傾斜角をもって設置されている。第１ホルダ８６ａに保持された光コネクタＷの端面からの反射光は、この固定ミラー１０８ａによって光軸Ｌa に対して直角に曲げられる。
【００６６】
他方側の固定ミラー１０８ｄは、第４照明ユニット９０ｄを構成するハーフミラー１０６ｄの後段に設置されており、第４レンズユニット８８ｄを構成するレンズ装置１００ｄの光軸Ｌd に対して４５度の傾斜角をもって設置されている。第４ホルダ８６ｄに保持された光コネクタＷの端面からの反射光は、この固定ミラー１０８ｄによって光軸Ｌd に対して直角に曲げられ、回転ミラー１１２の方向に導かれる。
【００６７】
２つの昇降ミラー１１０ｂ、１１０ｃは、それぞれ上述した第１の実施の形態の昇降ミラー４０と同じ構成である。すなわち、昇降テーブル１１１ｂ、１１１ｃ上に設置されており、図示しないシリンダに駆動されることにより、「待機位置」と「反射位置」との間を垂直に上下動する。
【００６８】
この２つの昇降ミラー１１０ｂ、１１０ｃのうち一方の昇降ミラー１１０ｂは、第２照明ユニット９０ｂを構成するハーフミラー１０６ｂの後段に設置されており、第２レンズユニット８８ｂを構成するレンズ装置１００ｂの光軸Ｌb に対して４５度の傾斜角をもって設置されている。第２ホルダ８６ｂに保持された光コネクタＷの端面からの反射光は、この昇降ミラー１１０ｂを「反射位置」に位置させることにより、光軸Ｌb に対して直角に曲げられ、回転ミラー１１２の方向に導かれる。
【００６９】
他方側の昇降ミラー１１０ｃは、第３照明ユニット９０ｃを構成するハーフミラー１０６ｃの後段に設置されており、第３レンズユニット８８ｃを構成するレンズ装置１００ｃの光軸ＬC に対して４５度の傾斜角をもって設置されている。第３ホルダ８６ｃに保持された光コネクタＷの端面からの反射光は、この昇降ミラー１１０ｃを「反射位置」に位置させることにより、光軸ＬC に対して直角に曲げられ、回転ミラー１１２の方向に導かれる。
【００７０】
回転ミラー１１２は、ＣＣＤカメラ９２の前段に設置されており、ＣＣＤカメラ９２の受光部に入射する光軸Ｌに対して４５度の傾斜角をもって設置されている。この回転ミラー１１２は、回転テーブル１１４上に設置されており、図示しないモータに駆動されることにより、図５に実線で示す「第１反射位置」と破線で示す「第２反射位置」との間を回転移動する。
【００７１】
ここで、回転ミラー１１２を「第１反射位置」に位置させると、第１ホルダ８６ａに保持された光コネクタ端面からの反射光が固定ミラー１０８ａで直角に反射されたのち、この回転ミラー１１２で直角に反射されてＣＣＤカメラ２２の受光部に入射される。同様に第２ホルダ８６ｂに保持された光コネクタ端面からの反射光が昇降ミラー１１０ｂで直角に反射されたのち、この回転ミラー１１２で直角に反射されてＣＣＤカメラ２２の受光部に入射される。
【００７２】
一方、回転ミラー１１２を「第２反射位置」に位置させると、第４ホルダ８６ｄに保持された光コネクタ端面からの反射光が固定ミラー１０８ｄで直角に反射されたのち、この回転ミラー１１２で直角に反射されてＣＣＤカメラ２２の受光部に入射される。同様に第３ホルダ８６ｃに保持された光コネクタ端面からの反射光が昇降ミラー１１０ｃで直角に反射されたのち、この回転ミラー１１２で直角に反射されてＣＣＤカメラ２２の受光部に入射される。
【００７３】
すなわち、この回転ミラー１１２の回転動作と２つの昇降ミラー１１０ｂ、１１０ｃの昇降動作との組み合わせにより、１つのＣＣＤカメラで４つのホルダに保持された光コネクタの端面を１度に撮像することができる。
【００７４】
この際、各ホルダ８６ａ〜８６ｄに保持された光コネクタＷの端面が同じ大きさをもってＣＣＤカメラ９２に撮像されるようにするために、各ホルダ８６ａ〜８６ｄは階段状に設置され、ＣＣＤカメラ９２の受光部までの光路長が互いに等しくなるように設置されている。具体的には、固定ミラー８８ａ、８８ｄから昇降ミラー１１０ｂ、１１０ｃまでの光路長分だけ、第２ホルダ８６ｂ及び第３ホルダ８６ｃが第１ホルダ８６ａ及び第４ホルダ８６ｄから退避して設置されている。
【００７５】
以上のように構成された本実施の形態の光コネクタ端面検査装置８０の作用は次のとおりである。
【００７６】
まず、オペレータが各ホルダ８６ａ〜８６ｄに検査対象の光コネクタＷ、Ｗをセットする。
【００７７】
検査対象の光コネクタＷ、Ｗがセットされると、オペレータはパーソナルコンピュータ１４に検査開始を指示する。以後、所定の検査プログラムに従って検査が開始される。なお、このとき、光路切替ユニット９４の２つの昇降ミラー１１０ｂ、１１０ｃは「待機位置」に位置しており、回転ミラー１１２は「第１反射位置」に位置している。
【００７８】
まず、第１照明ユニット９０ａの照明ランプ１０４ａが点灯され、第１ホルダ８６ａに保持された光コネクタＷの端面に向けて照明光が照射される。光コネクタＷの端面に照明光が照射されると、光コネクタＷの端面で反射した反射光が、レンズ装置１００ａ、ハーフミラー１０６ａを通って固定ミラー１０８ａに入射される。そして、固定ミラー１０８ａで直角に反射されたのち、回転ミラー１１２に入射され、回転ミラー１１２で直角に反射されてＣＣＤカメラ９２の受光部に入射される。この際、固定ミラー１０８ａで直角に反射された反射光は、昇降ミラー１１０ｂの上方を通過して、回転ミラー１１２に入射される。
【００７９】
次に、第１レンズユニット８８ａのレンズ装置１００ａが、ＡＦ駆動装置１０２ａによってＡＦ駆動され、そのピント位置が第１ホルダ８６ａに保持された光コネクタＷの端面に合わせられる。
【００８０】
次に、第１ホルダ８６ａに保持された光コネクタＷの端面をＣＣＤカメラ９２が撮像し、その画像データをパーソナルコンピュータ１４に出力する。パーソナルコンピュータ１４は、取り込んだ画像データを画像処理して傷解析を行う。この解析結果は、パーソナルコンピュータ１４に内蔵されたメモリに記憶されると同時にＣＣＤカメラ２２による撮像画像と共にモニタ４６上に出力される。
【００８１】
以上により第１ホルダ８６ａに保持された光コネクタＷの端面傷検査が終了する。そして、この第１ホルダ８６ａに保持された光コネクタＷの端面傷検査が終了すると、第１照明ユニット９０ａの照明ランプ１０４ａが消灯される。
【００８２】
次に、第２ホルダ８６ｂに保持された光コネクタＷの端面傷検査が行われる。
【００８３】
まず、光路切替ユニット９４の昇降ミラー１１０ｂが、「待機位置」から「反射位置」に移動する。
【００８４】
次に、第２照明ユニット９０ｂの照明ランプ１０４ｂが点灯され、第２ホルダ８６ｂに保持された光コネクタＷの端面に向けて照明光が照射される。光コネクタＷの端面に照明光が照射されると、光コネクタＷの端面で反射した反射光が、レンズ装置１００ｂ、ハーフミラー１０６ｂを通って昇降ミラー１１０ｂに入射される。そして、その昇降ミラー１１０ｂよって回転ミラー１１２に向けて直角に反射された後、回転ミラー１１２で直角に反射されてＣＣＤカメラ２２の受光部に入射される。
【００８５】
次に、第２レンズユニット８８ｂのレンズ装置１００ｂが、ＡＦ駆動装置１０２ｂによってＡＦ駆動され、そのピント位置が第２ホルダ８６ｂに保持された光コネクタＷの端面に合わせられる。
【００８６】
次に、第２ホルダ８６ｂに保持された光コネクタＷの端面をＣＣＤカメラ９２が撮像し、その画像データをパーソナルコンピュータ１４に出力する。パーソナルコンピュータ１４は、取り込んだ画像データを画像処理して、傷解析を行う。この解析結果は、パーソナルコンピュータ１４に内蔵されたメモリに記憶されると同時にＣＣＤカメラ２２による撮像画像と共にモニタ４６上に出力される。
【００８７】
以上により第２ホルダ８６ｂに保持された光コネクタＷの端面傷検査が終了する。そして、この第２ホルダ８６ｂに保持された光コネクタＷの端面傷検査が終了すると、第２照明ユニット９０ｂの照明ランプ１０４ｂが消灯される。
【００８８】
次に、第３ホルダ８６ｃに保持された光コネクタＷの端面傷検査が行われる。
【００８９】
まず、昇降ミラー１１０ｂが、「反射位置」から「待機位置」に移動するとともに、、昇降ミラー１１０ｃが、「待機位置」から「反射位置」に移動する。これと同時に回転ミラー１１２が「第２反射位置」に回転移動する。
【００９０】
次に、第３照明ユニット９０ｃの照明ランプ１０４ｃが点灯され、第３ホルダ８６ｃに保持された光コネクタＷの端面に向けて照明光が照射される。光コネクタＷの端面に照明光が照射されると、光コネクタＷの端面で反射した反射光が、レンズ装置１００ｃ、ハーフミラー１０６ｃを通って昇降ミラー１１０ｃに入射される。そして、その昇降ミラー１１０ｃよって回転ミラー１１２に向けて直角に反射された後、回転ミラー１１２で直角に反射されてＣＣＤカメラ２２の受光部に入射される。
【００９１】
次に、第３レンズユニット８８ｃのレンズ装置１００ｃが、ＡＦ駆動装置１１２ｃによってＡＦ駆動され、そのピント位置が第３ホルダ８６ｃに保持された光コネクタＷの端面に合わせられる。
【００９２】
次に、第３ホルダ８６ｃに保持された光コネクタＷの端面をＣＣＤカメラ９２が撮像し、その画像データをパーソナルコンピュータ１４に出力する。パーソナルコンピュータ１４は、取り込んだ画像データを画像処理して、傷解析を行う。この解析結果は、パーソナルコンピュータ１４に内蔵されたメモリに記憶されると同時にＣＣＤカメラ２２による撮像画像と共にモニタ４６上に出力される。
【００９３】
以上により第３ホルダ８６ｃに保持された光コネクタＷの端面傷検査が終了する。そして、この第３ホルダ８６ｃに保持された光コネクタＷの端面傷検査が終了すると、第３照明ユニット９０ｃの照明ランプ１０４ｃが消灯される。
【００９４】
次に、第４ホルダ８６ｄに保持された光コネクタＷの端面傷検査が行われる。
【００９５】
まず、昇降ミラー１１０ｃが、「反射位置」から「待機位置」に移動する。
【００９６】
次に、第４照明ユニット９０ｄの照明ランプ１０４ｄが点灯され、第４ホルダ８６ｄに保持された光コネクタＷの端面に向けて照明光が照射される。光コネクタＷの端面に照明光が照射されると、光コネクタＷの端面で反射した反射光が、レンズ装置１００ｄ、ハーフミラー１０６ｄを通って固定ミラー１０８ｄに入射される。そして、固定ミラー１０８ｄで直角に反射されたのち、回転ミラー１１２に入射され、回転ミラー１１２で直角に反射されてＣＣＤカメラ９２の受光部に入射される。この際、固定ミラー１０８ｄで直角に反射された反射光は、昇降ミラー１１０ｃの上方を通過して、回転ミラー１１２に入射される。
【００９７】
次に、第４レンズユニット８８ｄのレンズ装置１００ｄが、ＡＦ駆動装置１１２ｄによってＡＦ駆動され、そのピント位置が第４ホルダ８６ｄに保持された光コネクタＷの端面に合わせられる。
【００９８】
次に、第４ホルダ８６ｄに保持された光コネクタＷの端面をＣＣＤカメラ９２が撮像し、その画像データをパーソナルコンピュータ１４に出力する。パーソナルコンピュータ１４は、取り込んだ画像データを画像処理して、傷解析を行う。この解析結果は、パーソナルコンピュータ１４に内蔵されたメモリに記憶されると同時にＣＣＤカメラ２２による撮像画像と共にモニタ４６上に出力される。
【００９９】
以上により第４ホルダ８６ｄに保持された光コネクタＷの端面傷検査が終了する。そして、この第４ホルダ８６ｄに保持された光コネクタＷの端面傷検査が終了すると、第４照明ユニット９０ｄの照明ランプ１０４ｄが消灯される。また、これと同時に回転ミラー１１２が「第１反射位置」に回転移動する。
【０１００】
以上により検査は終了し、オペレータはモニタ４６上の検査結果を確認しながら各ホルダ８６ａ〜８６ｄから光コネクタＷ、Ｗを取り外し、検査結果に応じて光コネクタを分別回収する。
【０１０１】
以上一連の工程で１組目の光コネクタＷ、Ｗの検査が終了し、以下同様の手順で順次検査を行ってゆく。
【０１０２】
このように、本実施の形態の光コネクタ端面検査装置８０によれば、１台のＣＣＤカメラ９２を用いて１度に４つの光コネクタＷ、Ｗの撮像を行うことができるので、効率よく光コネクタの端面傷検査を行うことができる。また、装置構成もシンプルになり、製作コストも低減させることができる。
【０１０３】
また、本実施の形態の光コネクタ端面検査装置１０では、ＣＣＤカメラ９２の受光部までの光路長が等しくなるように各ホルダ８６ａ〜８６ｄを設置しているので、いずれのホルダ８６ａ〜１６ｄに光コネクタＷ、Ｗをセットした場合であっても、光コネクタＷの端面は、常に同じ大きさで撮像することができる。
【０１０４】
【発明の効果】
以上説明したように、本発明によれば、複数のホルダに保持された光コネクタの端面からの反射光を切替手段で切り替えて撮像手段の受光部に入射させることにより、１つの撮像手段で複数の光コネクタの端面検査を１度に実施することができる。
【図面の簡単な説明】
【図１】本発明に係る光コネクタ端面検査装置の第１の実施の形態の全体構成を示すブロック図
【図２】昇降ミラーの構成図
【図３】本発明に係る光コネクタ端面検査装置の第２の実施の形態の全体構成を示すブロック図
【図４】本発明に係る光コネクタ端面検査装置の第３の実施の形態の全体構成を示すブロック図
【図５】本発明に係る光コネクタ端面検査装置の第４の実施の形態の全体構成を示すブロック図
【符号の説明】
１０…光コネクタ端面検査装置、１２…撮像装置、１４…パーソナルコンピュータ、１６ａ…第１ホルダ、１６ｂ…第２ホルダ、１８ａ…第１レンズユニット、１８ｂ…第２レンズユニット、２０ａ…第１照明ユニット、２０ｂ…第２照明ユニット、２２…ＣＣＤカメラ、２４…光路切替ユニット、２６…外装ケース、２８ａ、２８ｂ…ファイバーガイド、３０ａ、３０ｂ…レンズ装置、３２ａ、３２ｂ…ＡＦ駆動装置、３４ａ、３４ｂ…照明ランプ、３６ａ、３６ｂ…ハーフミラー、３８…固定ミラー、４０…昇降ミラー、４２…昇降テーブル、４４…シリンダ、４６…モニタ、４８…キーボード、５０…マウス、５２…プリンタ、６０…光コネクタ端面検査装置、６２…光路切替ユニット、６４…固定ミラー、６６…移動ミラー、７０…光コネクタ端面検査装置、７２…光路切替ユニット、７４…固定ミラー、７６…揺動ミラー、７７…揺動軸、７８…揺動板、８０…光コネクタ端面検査装置、８２…撮像装置、８６ａ〜８６ｄ…第１ホルダ〜第４ホルダ、８８ａ〜８８ｄ…第１レンズユニット〜第４レンズユニット、９０ａ〜９０ｄ…第１照明ユニット〜第４照明ユニット、９２…ＣＣＤカメラ、９４…光路切替ユニット、９６…外装ケース、１００ａ〜１００ｄ…レンズ装置、１０２ａ〜１０２ｄ…ＡＦ駆動装置、１０４ａ〜１０４ｄ…照明ランプ、１０６ａ〜１０６ｄ…ハーフミラー、１０８ａ、１０８ｄ…固定ミラー、１１０ｂ、１１０ｃ…昇降ミラー、１１２…回転ミラー、１１４…回転テーブル
【図１】
0003797419.tif 000002
【図２】
0003797419.tif 000003
【図３】
0003797419.tif 000004
【図４】
0003797419.tif 000005
【図５】
0003797419.tif 000006